(57)【要約】【課題】雨水の侵入口が見つけ難い箇所からの雨水の侵入、これによる雨漏りを防止し、また改修部材が風雨によって剥がれるのを阻止できる改修屋根構造。【解決手段】スレート屋根やトタン屋根などの既設屋根１３を、改修用屋根部材を用いてカバー工法により改修した改修屋根構造において、改修用屋根部材２２は、既設屋根１３の略全面に敷設・固定した複数枚の屋根カバー１６と、屋根カバーを固定した屋根の外周端縁のエッジ部を覆って屋根カバーの端縁部を押さえ固定したエッジカバー１９と、屋根カバー１６及びエッジカバー１９の全体に防水塗料を塗布し防水処理した防水塗装膜２０と、さらに防水塗装膜面に化粧塗料を塗布した化粧塗装膜２１と、を含んでいる。【選択図】図１
2020193452.tif 000002
【特許請求の範囲】
【請求項１】
スレート屋根やトタン屋根などの既設屋根を、改修用屋根部材を用いてカバー工法により補修・改修した改修屋根構造にあって、
前記改修用屋根部材は、前記既設屋根に敷設・固定した複数枚の屋根カバーと、前記屋根カバーを固定した屋根の外周端縁のエッジ部を覆って前記屋根カバーの端縁部を押さえ固定したエッジカバーと、前記屋根カバー及び前記エッジカバーの全体に防水塗料を塗布し防水処理した防水塗装膜と、さらに前記防水塗装膜面に化粧塗料を塗布した化粧塗装膜と、を含んでいることを特徴とする改修屋根構造。
【請求項２】
前記屋根カバーは、所定大きさの表裏面及び厚さを有する板状体からなり、前記板状体は合成樹脂材の成型品で形成されていることを特徴とする請求項１に記載の改修屋根構造。
【請求項３】
前記屋根カバーは、前記既設屋根と異なる形状の合成樹脂成型品で形成されていることを特徴とする請求項２に記載の改修屋根構造。
【請求項４】
前記エッジカバーは、前記屋根の棟部及びケラバ部及び軒先部をそれぞれ包み込む大きさ形状の棟カバー、ケラバカバー及び軒先カバーを含んでいることを特徴とする請求項１に記載の改修屋根構造。
【請求項５】
前記化粧塗料は、前記既設屋根の色と異なった色の塗料であることを特徴とする請求項１に記載の改修屋根構造。
【請求項６】
スレート屋根やトタン屋根などの既設屋根を、改修用屋根部材を用いてカバー工法により補修・改修する屋根改修工法であって、以下工程を含んでいることを特徴とする。
（ア）前記既設屋根に複数枚の屋根カバーを敷設・固定して覆う屋根カバー敷設工程と、
（イ）前記屋根カバーを固定した屋根の外周端縁のエッジ部を覆って前記屋根カバーの端縁部を押さえ固定するエッジカバー取付け工程と、
（ウ）前記屋根カバー及び前記エッジカバーの全面に防水塗料を塗布して防水塗装膜を形成する防水工程と、
（エ）さらに前記防水塗装膜面に化粧塗料を塗布して化粧塗装膜を形成する化粧工程。
【請求項７】
前記屋根カバー敷設工程において、前記屋根カバーは、前記既設屋根と異なる形状の合成樹脂成型体で形成されていることを特徴とする請求項６に記載の屋根改修工法。
【請求項８】
前記屋根カバーは、所定大きさの表裏面及び肉厚を有する板状体からなり、前記板状体は合成樹脂成型体で形成されていることを特徴とする請求項６または７に記載の屋根改修工法。
【請求項９】
前記屋根カバー敷設工程において、前記複数枚の屋根カバーの隙間に防水・補強部材でシール且つ補強されていることを特徴とする請求項６〜８のいずれかに記載の屋根改修工法。
【請求項１０】
前記エッジカバーは、前記屋根の棟部及びケラバ部及び軒先部にそれぞれ積み込む大きさ形状の棟カバー、ケラバカバー及び軒先カバーを含んでいることを特徴とする請求項６に記載の屋根改修工法。
【発明の詳細な説明】
【技術分野】
【０００１】
本発明は、改修屋根構造及び屋根改修工法に係り、さらに詳しくは、工場や倉庫などの老朽化したスレート屋根やトタン屋根などの既設屋根をカバー工法により補修乃至改修した改修屋根構造及び該屋根構造を構築する屋根改修工法に関する。
【０００２】
工場や倉庫などの屋根は、概ねスレート屋根やトタン屋根などで構築されている。これらの屋根は、経年変化により老朽化し、これに伴って、表面の風化、減耗、割れ、反り、あばれ或いは移動（以下、ズレともいう）などが発生し、それらの箇所から雨漏りが発生、或いは埃・ゴミなどが侵入し、一方でまた、ほこり、ゴミなどが付着、さらにこれらに加えてまたボルトなどの金具からの錆などにより表面などが汚れて見栄えが悪くなり、建物全体乃至企業イメージが低下することから、補修（修繕）乃至改修（改造）が必要になる。
【０００３】
このような屋根の補修・改修は、概ね、老朽化した既設屋根塗料を塗り替える塗り替え、また老朽化した屋根葺材を全て撤去し、新たな屋根葺材で葺き替える撤去葺き替え、さらには既設の屋根葺材はほぼそのまま残し、その上に新しい屋根材を葺いて覆うカバー工法などに大別されている。
【０００４】
これらの工法にあって、塗り替えはほぼ定期的に塗料を塗り替える補修に過ぎず、一時的な補修乃至改修であって長期間に亘って耐久性を維持させる方法ではなく、また、撤去葺き替えは、例えば既設屋根がスレート屋根の場合、それを撤去し廃材として処分しなければならないので、面倒な産業廃棄物処理が必要となり、またこの葺き替えは、撤去後、新設屋根を設置するまでの間は養生が必要になり、さらに状況によっては工場の操業を一時的に休止しなければならないなどの課題がある。
【０００５】
これに対して、カバー工法は、工事で殆ど廃材が発生しないので廃材処理費が掛からず、また解体工事も不要で操業休止もしなくてすみ、しかも工期も短縮でき、さらに工事費用も安く抑えられるなどの利点があることから、比較的軽度の老朽化した屋根の補修・改修に多く採用されている。
【０００６】
このカバー工法は、上記の利点を有することから、この工法を種々工夫した補修・改修工法が多くの特許文献で紹介されている。
【０００７】
例えば、下記特許文献１（特許第５３２２５４１号公報）には、高断熱性及び耐燃焼性を有する断熱プレート部材に対し、その一方の面に金属薄板を貼り合わせ、直交する重ね継ぎ合わせ方向に沿って重ね継ぎ合わせ手段を備えた複数の複合カバーリング材を用い、このカバーリング材を重ね継ぎ合わせ方向に沿って重ね継ぎ合わせ状に敷設してスレート建材を補修及び補強処理する工法が記載されている。
この工法によれば、アスベストを含有するスレート屋根の補修・補強処理、より好ましくは、さらにスレート建材用アスベスト飛散防止処理剤を用いて、アスベスト飛散防止を極めて効果的になし得る。
【０００８】
また、下記特許文献２（特開２００３−２０６５９７号公報）には、波形の金属板と硬質ウレタンフォームとを積層して成るウレタンボード付き断熱材を用いて、スレート板の波形に嵌合する状態に敷きつめてスレート屋根を補修する方法が記載されている。さらに、下記特許文献３（特許第６１０６４４８号公報）には、発泡スチロール(ビーズ法ポリスチレンフォーム)の断熱板と、その上に積層されたウレタンゴム系の防水材と、さらにその上に塗布された既存の屋根と同様の色彩のトップコートとからなる断熱防水部材を複数枚準備し、これらをトタン屋根あるいは瓦敷き屋根に部分的に接着し、既存の屋根の形状を変更することなく断熱効果を達成する既設屋根の断熱工法が記載されている。
【０００９】
さらに、下記特許文献４（特許第２７９０８７７号）には、平面寸法が既設の屋根葺材の平面寸法とほぼ同一の平面寸法を有する長方形の改修用屋根葺材を準備し、これらで波型屋根を覆って改修する工法が記載されている。また、下記特許文献５（特許第３９９４８１６号公報）には、相互に嵌合可能な改修用屋根材を用い、これら改修用屋根材相互の嵌合部と既設屋根における屋根材嵌合部が重なり合わないように改修用屋根材を葺成する横葺金属屋根改修工法が記載されている。
【００１０】
その他、下記特許文献６（特許第３７６３５７６号公報）及び下記特許文献７（特許第３８３５８０８公報）には、平板スレート瓦改修用金属屋根材を用い、これらを屋根の野地板上に階段状に重ねられた平板スレート瓦に被せて改修する平板スレート瓦改修工法が記載されている
【先行技術文献】
【特許文献】
【００１１】
【特許文献１】特許第５３２２５４１号公報
【特許文献２】特開２００３−２０６５９７号公報
【特許文献３】特許第６１０６４４８号公報
【特許文献４】特許第２７９０８７７号公報
【特許文献５】特許第３９９４８１６号公報
【特許文献６】特許第３７６３５７６号公報
【特許文献７】特許第３８５５８０８号公報
【発明の概要】
【発明が解決しようとする課題】
【００１２】
上記特許文献１〜７記載の補修・補強処理工法などによれば、老朽化したスレート屋根のひび割れ、亀裂、穴などの箇所からの雨漏りを無くし、またアスベストの飛散をも防止できる。
ところで、一般のスレート建材からなる屋根などを含む構造物、例えばコンクリート構造物などにあっては、様々な原因により水漏れが発生することがある。
このような構造物にあって、一度、浸水、水漏れが発生すると、この水漏れの出口は目視などにより容易且つ簡単に発見・特定ができるが、一方で水が浸入する侵入口乃至箇所となると、それらは目視では殆ど見つけ難く、特定し難くほぼ不可能に近い。
このような浸水・水漏れは、コンクリート構造物に限られたことでなく、一般の建築物、例えばスレート屋根などにおいての雨水の侵入、それによる雨漏りとなる。
【００１３】
すなわち、スレート屋根などは、前記したように、老朽化などにより雨漏りが発生するが、その原因は主にひび割れ、亀裂、穴や移動（ズレ）などにあり、これらの箇所はまた雨水の入口となることから、目視などにより容易且つ簡単に発見・特定ができる。しかし、それ以外の箇所、すなわち目視で見つからない侵入口及び箇所となると、それらは見つけ難く、特定し難くほぼ不可能になる（課題１）。
【００１４】
その一方でまた、カバー工法による補修・改修は、既設屋根（例えば、波形スレート）と改修新設屋根（部材）との間に若干の隙間が空いていることから、この隙間が風の通路となって、両屋根の結合材、例えば接着剤などが、老朽化で劣化すると結合力が低下し、改修新設屋根（部材）が台風などの強い風雨などにより剥がれ、破壊乃至飛散してしまうことがある（課題２）。
なお、改修新設屋根が破壊・飛散すると、古いスレート屋根はアスベスト製となっているので、それが周囲へ飛散し、近隣環境を汚染し、大きな社会問題になることがある。
【００１５】
以上のことから、スレート屋根などの補修乃至改修は上記課題１、２への対策が必須になっている。
【００１６】
そこで、上記各特許文献に記載のスレート屋根の補修・補強処理工法など（以下、総称して補修・改修法という）にあっても、上記課題１、２への対策が必須となっているが、先に結論を言えば、いずれの補修・補強処理工法などにおいても、上記の課題の提起がなく、対策が講じられているとは言えない。
【００１７】
これらの点に関して、上記特許文献の各明細書には、以下のように記載（説明）されている。
すなわち、上記各特許文献１〜７記載の補修・改修工法法は、いずれもカバー工法によるものであって、改修新設屋根部材は、それぞれ複合カバーリング材（特許文献１）、ウレタンボード付き断熱材（同文献２）、断熱防水部材（同文献３）、改修用屋根材（同文献４、５）、改修用金属屋根材（同文献６、７）（以下、これらを総称して改修用屋根部材という）で構成されている。そして、これらのうち、まず複合カバーリング材（特許文献１）は遮熱・断熱効果を高め、またアスベスト飛散を防止する材、また、ウレタンボード付き断熱材（同文献２）は断熱性能の向上、さらに断熱防水部材（同文献３）は断熱に加え耐久性アップ、さらにまた改修用屋根材（同文献４、５）は足場や雨水の養生に活用しながら屋根を葺く材、さらにまた改修用金属屋根材（同文献６、７）は横葺金属にあって冶具を使用せずに改修する材となっている。
以上から、結局、上記特許文献１〜７には上記課題１、２に関係する記述は見当たらず、またそれらを伺わせる課題の提起及び対策に関する記載もない。
【００１８】
そこで、本発明は、スレート屋根やトタン屋根などの屋根の老朽化に伴う、ひび割れ、亀裂、穴、或いは見栄え低下などした箇所をカバー工法により補修・改修するものであって、その発明の目的は、上記の課題１、２の解決、すなわち雨水の侵入口が見つけ難く乃至特定し難く略不可能に近い箇所をも含む箇所からの雨水の浸入、これによる雨漏りを防止し、また補修・改修した部材が風雨によって剥がれるのを阻止し、さらに見栄えが低下した屋根を見栄えよく蘇らせ、これらを低廉な改修コストで施工できる改修屋根構造を提供することにある。
【００１９】
また、他の目的は、カバー工法が元々有する利点を有し、さらにこれに加え、雨水の侵入口が見つけ難く乃至特定し難く略不可能に近い箇所をも含む箇所からの雨水の侵入、これによる雨漏りを防止し、また補修・改修した部材が風雨によって剥がれるのを阻止し、さらに見栄えが低下した屋根を見栄えよく蘇らせ、これらを簡単、容易な方法で且つ低廉な改修コストで施工できる屋根改修工法を提供することにある。
【課題を解決するための手段】
【００２０】
上記目的を達成するために、本発明の第１の態様の改修屋根構造は、スレート屋根やトタン屋根などの既設屋根を、改修用屋根部材を用いてカバー工法により補修・改修した改修屋根構造にあって、
前記改修用屋根部材は、前記既設屋根に敷設・固定した複数枚の屋根カバーと、前記屋根カバーを固定した屋根の外周端縁のエッジ部を覆って前記屋根カバーの端縁部を押さえ固定したエッジカバーと、前記屋根カバー及び前記エッジカバーの全体に防水塗料を塗布し防水処理した防水塗装膜と、さらに前記防水塗装膜面に化粧塗料を塗布した化粧塗装膜と、を含んでいることを特徴とする。
【００２１】
第２の態様の改修屋根構造は、第１の態様の改修屋根構造において、前記屋根カバーは、所定大きさの表裏面及び肉厚を有する板状体からなり、前記板状体は合成樹脂材の成型品で形成されていることを特徴とする。
【００２２】
第３の態様の改修屋根構造は、第２の態様の改修屋根構造において、前記屋根カバーは、前記既設屋根と異なる形状の合成樹脂成型品で形成されていることを特徴とする。
【００２３】
第４の態様の改修屋根構造は、第１の態様の改修屋根構造において、前記エッジカバーは、前記屋根の棟部及びケラバ部及び軒先部にそれぞれ包み込む大きさ形状の棟カバー、ケラバカバー及び軒先カバーを含んでいることを特徴とする。
【００２４】
第５の態様の改修屋根構造は、第１の態様の改修屋根構造において、前記化粧塗料は、前記既設屋根の色と異なった色の塗料であることを特徴とする。
【００２５】
本発明の第６の態様の屋根改修工法は、スレート屋根やトタン屋根などの既設屋根を、改修用屋根部材を用いてカバー工法により補修・改修する屋根改修工法であって、以下工程を含んでいることを特徴とする。
（ア）前記既設屋根に複数枚の屋根カバーを敷設・固定して覆う屋根カバー敷設工程と、
（イ）前記屋根カバーを固定した屋根の外周端縁のエッジ部を覆って前記屋根カバーの端縁部を押さえ固定するエッジカバー取付け工程と、
（ウ）前記屋根カバー及び前記エッジカバーの全面に防水塗料を塗布して防水塗装膜を形成する防水工程と、
（エ）さらに前記防水塗装膜面に化粧塗料を塗布して化粧塗装膜を形成する化粧工程。
【００２６】
第７の態様の屋根改修工法は、第６の態様の屋根改修工法において、前記屋根カバーは、前記既設屋根と異なる形状の合成樹脂成型体で形成されていることを特徴とする。
【００２７】
第８の態様の屋根改修工法は、第６または第７の態様の屋根改修工法において、前記屋根カバーは、所定大きさの表裏面及び肉厚を有する板状体からなり、前記板状体は合成樹脂成型体で形成されていることを特徴とする。
【００２８】
第９の態様の屋根改修工法は、第６〜第８のいずれかの態様の屋根改修工法において、前記屋根カバー敷設工程において、前記複数枚の屋根カバーの隙間に防水・補強部材でシール・補強されていることを特徴とする。
【００２９】
第１０の態様の屋根改修工法は、第６の態様の屋根改修工法において、
前記エッジカバーは、前記屋根の棟部及びケラバ部及び軒先部にそれぞれ取り付けカバーする棟カバー、ケラバカバー及び軒先カバーを含んでいることを特徴とする。
【発明の効果】
【００３０】
本発明の第１の態様の改修屋根構造は、スレート屋根やトタン屋根などの既設屋根を、改修用屋根部材を用いてカバー工法により改修した改修屋根構造にあって、改修用屋根部材は、既設屋根に敷設・固定した複数枚の屋根カバーと、これらの屋根カバーを固定する屋根の外周端縁のエッジ部を覆って屋根カバーの端縁部を押さえ固定したエッジカバーと、これらの屋根カバー及びエッジカバーの全体に防水塗料を塗布し防水処理した防水塗装膜と、さらに防水塗装膜面に化粧塗料を塗布した化粧塗装膜と、を含んでいる。
この改修屋根構造によれば、スレート屋根やトタン屋根などの既設屋根の老朽化に伴う、ひび割れ、亀裂、穴、或いは見栄え低下などした箇所をカバー工法により補修・改修するものであって、この補修・改修に際し、上記の課題１、２を解決、すなわち雨水の侵入口が見つけ難く乃至特定し難く略不可能に近い箇所をも含む箇所からの雨水の侵入、これによる水漏れを防止し、また補修・改修した部材が風雨によって剥がれるのを阻止し、さらに見栄えが低下した屋根を見栄えよく蘇らせ、これらを低廉な改修コストで施工できる改修屋根構造を提供できる。
【００３１】
また、第２の態様の改修屋根構造によれば、屋根カバーを合成樹脂材、例えば発泡スチロール(ビーズ法ポリスチレンフォーム)で形成することにより、軽量・運搬及び加工が容易、作業性がよく、その一方でまた遮熱及び断熱効果を奏する。また、任意の形状に形成できるので、意匠性のアップも可能になる。
【００３２】
さらに、第３の態様の改修屋根構造によれば、既設屋根と異なる種々タイプの成型品で形成できるので、新設屋根のデザイン性を向上させ、建物・企業イメージをアップさせることができる。
【００３３】
さらにまた、第４の態様の改修屋根構造によれば、エッジカバーは棟カバー、ケラバカバー及び軒先カバーからなり、これらにより屋根の棟部、ケラバ部及び軒先部で、敷設した屋根カバーの外周端縁を押さえ堅固に固定できるので、改修用那根部材の剥がれを防止できる。
【００３４】
さらにまた、第５の態様の改修屋根構造によれば、化粧塗料は、既設屋根の色と異なった色の塗料にすることにより、新設屋根はデザイン性が向上し、また、企業イメージアップにもなる。
【００３５】
本発明の第６の態様の屋根改修工法によれば、カバー工法が元々備えた利点を有し、さらに以下の作用効果をも奏する。
・スレート屋根やトタン屋根などの既設屋根の老朽化に伴う、ひび割れ、亀裂、穴などの箇所の補修・改修を簡単にできる。
・その際に、雨水の侵入口が見つけ難く乃至特定し難く略不可能に近い箇所をも含む箇所からの雨水の侵入、これによる雨漏りを防止できる。
・また、補修・改修した部材が風雨などによって剥がれるのを阻止できる。
・さらに、見栄えをよく蘇らせることができる。
・さらにまた、屋根カバーは所定の大きさ及び形状にすることにより、敷設作業の際に、足場や降雨の際の養生に活用しながら使用できる。
・さらにまた、これらを低廉な改修コストで施工できる。
【００３６】
また、第７の態様の屋根改修工法によれば、既設屋根と異なる形状の合成樹脂成型品で形成されているので、新設屋根のデザイン性を向上させ、建物・企業イメージが向上する。
【００３７】
さらに、第８の態様の屋根改修工法によれば、屋根カバーを合成樹脂成型体、例えば発泡スチロール(ビーズ法ポリスチレンフォーム)で形成することにより、軽量・運搬及び加工が容易、作業性がよく、その一方でまた遮熱及び断熱効果を奏する。任意の形状に形成できる意匠性のアップが可能になる。
【００３８】
さらにまた、第９の態様の屋根改修工法によれば、複数枚の屋根カバーの隙間は、防水・補強部材でシール・補強される
【００３９】
さらに、第１０の態様の屋根改修工法によれば、エッジカバーは棟カバー、ケラバカバー及び軒先カバーからなり、これらにより屋根の棟部、ケラバ部及び軒先部で、敷設した屋根カバーの外周端縁を押さえ堅固に固定できるので、改修用那根部材の剥がれを防止できる
【図面の簡単な説明】
【００４０】
【図１】図１は発明の実施形態１に係る改修屋根構造を有する建築建物を示し、図１Ａは建築建物の外観図、図１Ｂは図１ＡのＩＢ部分の破断図である。
【図２】図１の改修屋根構造を構築する屋根改修工法の工程ブロック図である。
【図３】図１の既設老朽化した一部の波形スレート屋根を示した斜視図（写真）である。
【図４】図４は図１Ａの既設波形スレート屋根に敷設した数枚の屋根カバーを示し、図４Ａはそれらの平面図、図４Ｂは図４Ａの屋根カバーを補強した平面図、図４Ｃは図４ＢのIVＣ部分を拡大した側面図である。
【図５】図５は図４Ａの１枚の屋根カバーの斜視図である。
【図６】図６Ａは図５のVIＡ―VIＡ線の断面図、図６Ｂは図１Ｂの既設波形スレート屋根の断面図、図６Ｃは図６Ａの屋根カバーと図６Ｂの既設波形スレート屋根を結合した断面図である。
【図７】図７は図５の屋根カバーの変形例を示した斜視図である。
【図８】図８は図１ＡのVIII−VIII線の断面図である。
【図９】図９は図１ＡのIX−IX線の断面図である。
【発明を実施するための形態】
【００４１】
以下、図面を参照して、本発明の実施形態に係る改修屋根構造及び屋根改修工法を説明する。但し、以下に示す実施形態は、本発明の技術思想を具体化するための改修屋根構造及び屋根改修工法を例示するものであって、本発明をこれに特定することを意図するものではなく、特許請求の範囲に含まれるその他の実施形態のものにも等しく適応し得るものである。
【００４２】
図１を参照して、本発明の実施の形態に係る改修屋根構造の概要を説明する。なお、図１は発明の実施形態１に係る改修屋根構造を有する建築建物を示し、図１Ａは建築建物の外観図、図１Ｂは図１ＡのＩＢ部分の破断図である。
【００４３】
図１Ａの建築建物（以下、建物ともいう）１０は、既存の一般的な倉庫、工場などの既設屋根をカバー工法により改修した建物である。
この建物１０は、建物本体１１と、この建物本体の上を覆い被せた既設屋根１３とを有し、この既設屋根１３はスレート建材から切妻タイプの屋根にあって、この屋根上の全面に改修用屋根部材で覆った改修用屋根構造からなる改修新設屋根１４で構築されている。
なお、図１Ｂの符号１５は改修用屋根構造の一部、また符号２２は一部の改修用屋根部材を示している。また、既設改修対象の建物は上記切妻タイプのものに限定するものではなく他の屋根、例えば寄棟、片流れ及び方形タイプのものでもよい、さらに、既設屋根はスレート建材のスレート屋根だけでなく他の例えばトタン屋根などでもよい。
【００４４】
改修屋根構造１５は、一部を図１Ｂに示したように、既設の波形スレート建材からなる屋根（以下、スレート屋根ともいう）１３上の略全面に敷設した複数枚の屋根カバー１６と、これらの屋根カバーの外周端縁のエッジ部を覆って屋根カバー１６の端縁部を押さえ固定したエッジカバー１９（図１Ａ参照）と、これら屋根カバー１６及びエッジカバー１９の全体に防水塗料を塗布し防水処理した防水塗装膜２０と、さらに防水塗装膜面に化粧塗料を塗布した化粧塗装膜２１と、を含んでいる。
なお、エッジカバー１９は棟カバー１９ａ、軒先カバー１９ｂ及びケラバカバー１９ｃとなっている。
【００４５】
この改修屋根構造によれば、スレート屋根やトタン屋根などの既設屋根は、老朽化に伴う、ひび割れ、亀裂、穴或いは見栄えの低下などの補修・改修にあって、雨水の入口が見つけ難く乃至特定し難く略不可能に近い箇所をも含む箇所からの雨水の侵入、これによる雨漏りを防止できると共に、補修・改修した部材が風雨によって剥がれるのを阻止し、さらに見栄えがよく蘇らせることができ、さらにこれらを低廉な改修コストで施工できる作用効果を奏する。
【００４６】
この改修新設屋根における細部の構造、及びさらに他の特徴及び作用効果などは以下の屋根改修工法で詳述する。
【００４７】
図２を参照して、本発明の実施形態２に係る屋根改修工法を説明する。なお、図２は図１の改修屋根構造を構築する発明の実施形態に係る屋根改修工法の工程ブロック図である。
【００４８】
本発明の実施形態２に係る屋根改修工法は、以下の各工程ａ〜ｉを含んでいる。
【００４９】
＜診断工程ａ＞
この診断工程ａでは、既設の波形スレート屋根の状態を診断し、老朽化の程度及び改修の要否を判定し、それらに対応した改修工法を選定する。
スレート屋根は、建物の場所乃至環境などによって異なるが、耐久年数は概ね３０〜５０年と言われており、この年数の前乃至経過すると老化が始まる。なお、その他、豪雨、強風、霜などによっても損傷することがある。
この老化乃至損傷などにより、表面の風化、減耗、割れ、反り、あばれ、移動（以下、ズレともいう）などが発生し、それらの箇所から雨水の侵入、それによる雨漏りが発生、或いは埃・ゴミなどが侵入し、また、ほこり付着やボルトからの錆による表面が汚れて、いわゆるボロボロ状態（図３に例示）になり、建物、企業イメージの低下し、屋根全体の見栄えが悪くなる。また古いスレート屋根（２００４年以前）はアスベストを含んでいるので、それらが飛散することがある。
【００５０】
そこで、この工程で、このような屋根状態を診断し、老朽化の程度及び改修の要否を判定し、それらに対応した改修工法を選定する。ここでの診断結果は、改修要、カバー工法を選択した例で説明する。
【００５１】
＜洗浄工程ｂ＞
波形スレートは表面がツルツルしていないため、そこに砂埃や土埃が付着しているので、水で洗浄する。なお、改修中アスベストが飛散するおそれがあるような場合、改修屋根部分を水で湿潤するのが好ましい。
【００５２】
＜補修工程ｃ＞
スレート屋根は脆くなっており、部材が破損、破れて破片が落下しそうになっている場合がある。このような状態の場合、必要に応じてそれらの箇所を補修する。
【００５３】
＜屋根カバー敷設工程ｄ＞
この工程では、複数枚の屋根カバーを用い、前工程で洗浄した波形スレート屋根の略全面に敷設し固定する。
【００５４】
以下、この敷設工程を図４〜図７を参照して説明する。なお、図４は図１Ａの既設波形スレート屋根に敷設した数枚の屋根カバーを示し、図４Ａはそれらの平面図、図４Ｂは図４Ａの屋根カバーを補強した平面図、図４Ｃは図４ＢのIVＣ部分を拡大した側面図、図５は図４Ａの１枚の屋根カバーの斜視図、図６Ａは図５のVIＡ―VIＡ線の断面図、図６Ｂは図１Ｂの既設波形スレート屋根の断面図、図６Ｃは図６Ａの屋根カバーと図６Ｂの既設波形スレート屋根を結合した断面図、図７は図５の屋根カバーの変形例を示した斜視図である。
【００５５】
（屋根カバー）
まず、図５、図６を参照して、敷設に使用する１枚の屋根カバーを説明する。
この屋根カバー１６は、任意の形状及び材料からなる板状体（プレート）で形成されている。
板状体の形状は、特定の形状に限定するものでなく任意でよいが、以下、矩形の板状体で説明する。
この矩形板状体は所定大きさの表裏面及び厚さを有している。その寸法も任意でよいが、例えば幅９００ｍｍ、奥行９１０ｍｍ及び厚さ５０ｍｍである。このサイズであると、敷設作業の際、足場や降雨の際の養生に活用しながら使用できる。
【００５６】
この矩形板状体は、表面１６ａは平坦面に、裏面１６ｂに既設スレート屋根に支持・固定する複数本の凸条突起１６ｂ１〜１６ｂ４が形成されている。
これら凸条突起１６ｂ１〜１６ｂ４の寸法は、既設スレート屋根の形状に対応して決める。既設スレート屋根が大波スレート建材の場合、波幅（ピッチ）をｗ１、波の高さをｈ１とすると、これらは規格で、例えばｗ１は１３０ｍｍ、ｈ１は３８ｍｍとなっている。
【００５７】
そこで、両凸条突起の幅をｗ２、高さをｈ２及び突起の幅長をｗ２１とし、これらのｗ２、ｈ２及びｗ２１と、ｗ１、ｈ１の関係を以下に設定するのが好ましい。
ｗ１＝ｗ２、ｗ２１＜ｗ１、ｈ１≒ｈ２
この関係で、ｗ１＝ｗ２、ｗ２１＜ｗ１により、既設大波スレート屋根と屋根カバーとのズレがあっても、嵌め込むことが可能になり、また、ｈ１≒ｈ２により、位置決めが容易になり堅固に固定できる。
【００５８】
また、板状体の材料は、特定のものに限定するものでなく、任意のものでよい。例えば、発泡スチロール(ビーズ法ポリスチレンフォーム)、押出法ポリスチレンフォーム、高性能フェノールフォームポリウレタンフォーム、ポリプロピレンフォーム、ポリエチレンフォームなどの合成樹脂材、また、その他の材料でもよい。
【００５９】
発泡スチロール(ビーズ法ポリスチレンフォーム)成型品を採用すると、軽量、運搬が容易になり、作業性がよくなり、また、断熱効果を発揮させることも可能になるという利点がある。
【００６０】
板状体は、矩形状にしたが、これに限定するものでなく、他の任意の形状にしてもよい。
また、板状体にあって表面１６ａを平坦面にしたので、波状よりも塗装・コーティング面積が１０％程度少なくなり価格面でメリットになる。
既設の屋根形状、例えば波形にしてもよく、さらに他の形状、例えば所定大きさの凹み溝など間隔を設けた形状にしてもよい。この溝によって雨水の通路にできる。
さらに、既設屋根形状と異ならせた形状、図７に示したように、例えば、表面を階段状の段差１６Ａａを設けた形状にする。これにより、新設屋根はデザイン性が向上し、また、企業イメージアップにもなる。なお、後記する化粧塗料の色を選択することによって、さらに意匠性がアップする。
【００６１】
（敷設）
次に、図４、図８を参照して、複数枚の屋根カバーの敷設を説明する。
複数枚の屋根カバーを準備し、これらを既設スレート屋根１３の略全面に敷設・固定する。なお、スレート屋根１３は垂木１２（図８参照）上に敷設されている。符号１６Ｇは隣接する隙間を示している（図４Ｃ参照）。
この敷設は、既設スレート屋根１３の上面にあって、複数枚の屋根カバーを、順次足場や降雨の際の養生に活用しながら敷設し、固定する。図４Ａは複数枚１６１〜１６１６を縦横に並べた状態を示している。なお、固定は各屋根カバーの凸条突起１６ｂ１〜１６ｂ４と大波スレート屋根の各頂部及び底部にあって、接着剤１８によって固定する（図６Ｃ参照）。
【００６２】
＜補強工程ｅ＞
この工程では、防水テープを用い、屋根カバーの隙間１６Ｇに貼り合わせて塞いで、補強し、浸水を防止する。この防水テープは特定のものに限定するものでなく任意の既に市販されているもの、例えば粘着層付ガラスクロステープなどを使用する。また、隙間１６Ｇに詰め物をして、いわゆる目止めしてもよい。
これらにより、屋根カバーのジョイント部分は防水・補強される。なお、図４Ｃの符号１７ｘ、１７ｙは貼ったテープを示している。
【００６３】
＜エッジカバー取付け工程ｆ＞
エッジカバー１９として、棟カバー１９ａ、ケラバカバー１９ｃ及び軒先カバー１９ｂ（図１Ａ参照）を準備し、これらを屋根の棟部、ケラバ部及び軒先部にあって、敷設した屋根カバーの端縁を抑え固定する。すなわち、棟カバー１９ａは、所定長さの金属製カバー体からなり屋根の棟部に沿って配設し、屋根カバーの端縁を抑え固定する（図８参照）。なお、この固定は固定ビス１９１（例えばスクリューネジ）を用い、垂木１２にネジ止めして行う。また、軒先カバー１９ｂは、所定長さの金属製カバー体からなり屋根の軒先に沿って配設し、屋根カバーの端縁を抑え固定ビス１９１で固定する（図８参照）。さらに、ケラバカバー１９ｃは、所定長さの金属製カバー体からなり屋根のケラバ部に沿って配設し、屋根カバーの端縁を抑え固定ビス１９１で固定する（図９参照）。これらの金属製カバー体は、例えばガルバリウム鋼板(登録商標名）、ステンレス材或いはアルミニウム材などの板材を用い、これらを屋根の棟部、ケラバ部及び軒先部を覆う形状、例えば、断面が略半円形、Ｕ字型状、コ字状乃至所定角（例えば直角）に加工したものである。
【００６４】
＜防水塗料塗布工程ｇ＞
この工程では、屋根カバー及びエッジカバーの全面に、防水塗料を所定厚さに吹付けて防水塗装膜２０を形成する。防水塗料は特定のものに限定するものでなく、市販品、例えば、高強度ウレタンゴム系、アクリルゴム系などを使用する。また、厚さは１．５ｍｍ〜３．０ｍｍ範囲が好ましい。なお、この工程の前処理としてプライマー処理する。これにより、防水塗装膜の密着性がよくなる。
【００６５】
＜化粧塗料塗布工程ｈ＞
この工程では、防水塗装膜面に、化粧塗料、例えば遮熱ハイブリッド（候対策）系塗料、を塗布して化粧塗装膜（なお、トップコートとも言う）２１を形成する。化粧塗料は、特定の塗料に限定するものでないが、トップコートとしての機能、対候性、遮熱性を備えたもの使用する。このよう塗料として、アクリル系、フッ素系乃至シリコン系のものがある。また、色は特定の色に限定するものでなく任意のものでよい。なお、既設屋根と異なる色を選定すると、新設屋根はデザイン性が向上し、また、企業イメージアップにもなる。
【００６６】
＜完成ｉ＞
上記の工程a〜ｈにより、屋根改修を終了し、改修新設屋根１４を完成させる。
【００６７】
この実施形態の屋根改修工法によれば、カバー工法が元々備えた利点を有し、さらに以下の作用効果を奏する。
スレート屋根やトタン屋根などの既設屋根の老朽化に伴うひび割れ、亀裂、穴などの箇所の補修・改修を簡単にできる。この改修で、雨水の浸水口が見つけ難く乃至特定し難く略不可能に近い箇所をも含む箇所からの雨水の侵入、これによる雨漏りを防止できまた、補修・改修部材が風雨などによって剥がれるのを阻止でき、さらに、見栄えよく蘇らせることができ、さらにまた、これらを低廉な改修コストで施工できる。
【符号の説明】
【００６８】
１０                  改修建築建物
１１                  建物本体
１２                  垂木
１３                  既設屋根（スレート屋根）
１４                  改修新設屋根
１５                  改修屋根構造
１６、１６１〜１６１６  屋根カバー
１６ｂ１〜１６ｂ４      凸条突起
１７ｘ、１７ｙ        補強防水部材（防水テープ）
１８                  接着剤
１９                  エッジカバー
１９ａ                棟カバー
１９ｂ              軒先カバー
１９ｃ              ケラバカバー
１９１              固定ビス
２０                防水塗装膜
２１                化粧塗装膜
２２                改修用部材
【図１】
2020193452.tif 000003
【図２】
2020193452.tif 000004
【図３】
2020193452.tif 000005
【図４】
2020193452.tif 000006
【図５】
2020193452.tif 000007
【図６】
2020193452.tif 000008
【図７】
2020193452.tif 000009
【図８】
2020193452.tif 000010
【図９】
2020193452.tif 000011